(57)【要約】【課題】植立茎稈が倒伏している倒伏状態にて刈取作業を行う場合に、刈取作業を良好に行うことが可能となる刈取作業機の姿勢制御装置を提供する。【解決手段】植立茎稈を立姿勢に引き起こす引起し装置７を備えた刈取部２が昇降操作手段Ｃ１により昇降自在に備えられ、機体本体Ｖの水平基準面に対する前後傾斜角が設定傾斜角に維持されるように姿勢変更操作手段の作動を制御するピッチング制御を行する姿勢制御手段が、植立茎稈が倒伏している倒伏状態に対応する倒伏用制御モードが指令されている場合には倒伏用制御モードが指令されていない場合に比べて、走行装置の接地部に対する機体本体の前後傾斜角を低速で変更操作する。【選択図】図１
2010081804.tif 000002
【特許請求の範囲】
【請求項１】
植立茎稈を立姿勢に引き起こす引起し装置を備えた刈取部が、走行装置を備えた機体本体の前部に昇降操作手段により昇降自在に備えられ、
前記走行装置の接地部に対する機体本体の前後傾斜角を変更操作自在な姿勢変更操作手段と、機体本体の水平基準面に対する前後傾斜角を検出する前後傾斜角検出手段と、この前後傾斜角検出手段の検出情報に基づいて、機体本体の水平基準面に対する前後傾斜角が設定傾斜角に維持されるように前記姿勢変更操作手段の作動を制御するピッチング制御を実行する姿勢制御手段とが設けられている刈取作業機の姿勢制御装置であって、
植立茎稈が倒伏している倒伏状態に対応する倒伏用制御モードを指令するモード指令手段が設けられ、
前記姿勢制御手段が、
前記モード指令手段にて前記倒伏用制御モードが指令されている場合には、前記倒伏用制御モードが指令されていない場合に比べて、前記走行装置の接地部に対する機体本体の前後傾斜角を低速で変更操作するように構成されている刈取作業機の姿勢制御装置。
【請求項２】
前記刈取部の作動速度を車速が大なるほど大になる形態で、且つ、車速が同じであるときの前記刈取部の作動速度を前記倒伏状態に対応する倒伏用駆動状態の方が植立茎稈が直立している標準状態に対応する標準用駆動状態のときよりも高速にする形態で、倒伏用駆動状態と標準用駆動状態とに切り換え自在な刈取変速手段が設けられ、
前記モード指令手段が、前記刈取変速手段が前記倒伏用駆動状態に切り換えられているか否かを検出するように構成され、且つ、前記倒伏用駆動状態に切り換えられていることを検出すると前記倒伏用制御モードを指令するように構成されている請求項１記載の刈取作業機の姿勢制御装置。
【請求項３】
前記刈取部における分草具よりも機体後方側箇所に設けられてその位置での対地高さを検出する接地式の対地高さ検出手段と、
前記刈取部の目標対地高さを設定する目標対地高さ設定手段と、
前記対地高さ検出手段及び前記目標対地高さ設定手段の情報に基づいて前記刈取部の対地高さが目標対地高さになるように前記昇降操作手段を制御する刈取昇降制御手段とが設けられている請求項１又は２記載の刈取作業機の姿勢制御装置。
【請求項４】
前記姿勢変更操作手段が、機体本体の水平基準面に対する左右傾斜角を変更操作自在に構成され、
機体本体の水平基準面に対する左右傾斜角を検出する左右傾斜角検出手段が設けられ、
前記姿勢制御手段が、機体本体の水平基準面に対する左右傾斜角を設定左右傾斜角にすべく前記姿勢変更操作手段を制御するローリング制御を実行するように構成され、且つ、
前記ピッチング制御及び前記ローリング制御の夫々において、前記倒伏モード指令手段にて前記倒伏用制御モードが指令されている場合には、前記倒伏用制御モードが指令されていない場合に比べて、前記走行装置の接地部に対する機体本体の前後傾斜角を低速で変更操作するように構成されている請求項１〜３のいずれか１項に記載の刈取作業機の姿勢制御装置。
【発明の詳細な説明】
【技術分野】
【０００１】
本発明は、植立茎稈を立姿勢に引き起こす引起し装置を備えた刈取部が、走行装置を備えた機体本体の前部に昇降操作手段により昇降自在に備えられ、前記走行装置の接地部に対する機体本体の前後傾斜角を変更操作自在な姿勢変更操作手段と、機体本体の水平基準面に対する前後傾斜角を検出する前後傾斜角検出手段と、この前後傾斜角検出手段の検出情報に基づいて、機体本体の水平基準面に対する前後傾斜角が設定傾斜角に維持されるように前記姿勢変更操作手段の作動を制御するピッチング制御を実行する姿勢制御手段とが設けられている刈取作業機の姿勢制御装置に関する。
【背景技術】
【０００２】
従来の刈取作業機の姿勢制御装置では、圃場において刈取作業を行う際に機体が前後方向に傾斜すると、搭乗している運転者の姿勢が傾斜して不安定になる等、乗り心地が低下する不利を解消することを目的としたり、例えば、刈取作業機の一例としてのコンバインであれば、脱穀装置における脱穀処理性能の悪化を防止するために、機体本体の水平基準面に対する前後傾斜角が設定傾斜角に維持されるように姿勢変更操作手段の作動を制御するピッチング制御を実行するものであるが、この種の刈取作業機において、従来では、機体本体の水平基準面に対する前後傾斜角が設定傾斜角から外れた場合に極力速く設定傾斜角に戻すことが可能となるように、常に、前記ピッチング制御を実行するときにおける姿勢変更操作手段により機体本体の前後傾斜角を変更操作する速度が高速に設定されていた（例えば、特許文献１参照。）。
【０００３】
【特許文献１】特開２００２−２６８７４７号公報
【発明の開示】
【発明が解決しようとする課題】
【０００４】
この種の刈取作業機では、姿勢変更操作手段により機体本体の前後傾斜角を変更操作する形態でピッチング制御が行われると、それに伴って刈取部が昇降することになるが、前記刈取部は昇降操作手段により機体本体に対して相対的に昇降自在に備えられており、例えば、手動操作による指令等に基づいて刈取部を昇降させることができるようになっており、ピッチング制御が行われて刈取部が機体本体と共に下方に移動することがあっても、刈取部を昇降操作手段により相対的に昇降させることで、刈取部の対地高さを極力所望の高さに維持させることができるようになっている。
【０００５】
しかしながら、植立茎稈が直立姿勢になっている場合であれば、上記従来構成においても良好な刈取作業を行うことができるが、刈取作業機により刈取作業を行う場合、刈取対象となる植立茎稈が直立姿勢になっている場合だけでなく、倒伏した状態になっていることがあり、このような倒伏茎稈を刈り取る場合には、刈取部の対地高さを直立姿勢の植立茎稈を刈り取るときよりも低く設定して、追い刈り形態や迎え刈り形態で刈取作業を行うことになるが、上記従来構成では、このような倒伏している植立茎稈を刈り取る場合においても、前記ピッチング制御を実行するときにおける姿勢変更操作手段により機体本体の前後傾斜角を変更操作する速度が高速に設定されることになる。つまり、従来では、このように倒伏している植立茎稈を刈り取るような作業状況であっても、機体本体の前後傾斜角を高速で変更操作する形態でピッチング制御が行われ、それに伴って刈取部が急激に昇降することになる。
【０００６】
そして、倒伏している植立茎稈を刈り取る作業を行っているときには、刈取部を昇降操作手段により相対的に昇降させることで刈取部の対地高さを極力所望の高さに維持させるようにすることが行われるが、刈取部と植立茎稈との間は接近していることから、ピッチング制御に伴い刈取部に急激に上昇すると、昇降操作手段による相対的な昇降操作が間に合わず、例えば迎え刈り形態で刈取作業を行っている状態においては、刈取部の上部に覆いかぶさるような状態となっている茎稈が刈取部の上昇に伴って引き抜かれる等のおそれが大となり、又、追い刈り形態で刈取作業を行っている場合にも同様に、刈取部に備えさせた引起し装置にて係止されながら引起されている茎稈が、刈取部の上昇に伴って引き抜かれる等のおそれが大となる。
【０００７】
又、ピッチング制御に伴う刈取部の下降操作が高速で行われると、刈取部が急激に下降することになるが、このとき刈取部の対地高さが低めに設定されていることから、刈取部と地面との間は接近しており、昇降操作手段による相対的な昇降操作が間に合わず、刈取部が地面に突っ込むおそれが大となる。
【０００８】
本発明の目的は、植立茎稈が直立姿勢である場合だけでなく、植立茎稈が倒伏している倒伏状態にて刈取作業を行う場合においても、刈取作業を良好に行うことが可能となる刈取作業機の姿勢制御装置を提供する点にある。
【課題を解決するための手段】
【０００９】
本発明に係る刈取作業機の姿勢制御装置は、植立茎稈を立姿勢に引き起こす引起し装置を備えた刈取部が、走行装置を備えた機体本体の前部に昇降操作手段により昇降自在に備えられ、
前記走行装置の接地部に対する機体本体の前後傾斜角を変更操作自在な姿勢変更操作手段と、機体本体の水平基準面に対する前後傾斜角を検出する前後傾斜角検出手段と、この前後傾斜角検出手段の検出情報に基づいて、機体本体の水平基準面に対する前後傾斜角が設定傾斜角に維持されるように前記姿勢変更操作手段の作動を制御するピッチング制御を実行する姿勢制御手段とが設けられているものであって、その第１特徴構成は、
植立茎稈が倒伏している倒伏状態に対応する倒伏用制御モードを指令するモード指令手段が設けられ、
前記姿勢制御手段が、前記モード指令手段にて前記倒伏用制御モードが指令されている場合には、前記倒伏用制御モードが指令されていない場合に比べて、前記走行装置の接地部に対する機体本体の前後傾斜角を低速で変更操作するように構成されている点にある。
【００１０】
すなわち、植立茎稈が倒伏している倒伏状態にて刈取作業を行う場合には、前記モード指令手段にて前記倒伏用制御モードが指令されることになる。そして、前記姿勢制御手段が、前記倒伏用制御モードが指令されていると、前記倒伏用制御モードが指令されていない場合に比べて、前記走行装置の接地部に対する機体本体の前後傾斜角を低速で変更操作するように構成されているから、倒伏している茎稈を刈り取るために刈取部の対地高さを低く設定して刈取作業を行っているような場合に、機体本体の水平基準面に対する前後傾斜角が設定傾斜角から外れることがあっても、前記走行装置の接地部に対する機体本体の前後傾斜角を低速で変更操作するから、ピッチング制御により機体本体の姿勢修正動作が急激に行われることはない。
【００１１】
その結果、前記倒伏用制御モードが指令されている場合には、機体本体の姿勢修正動作として、機体本体の前後傾斜角を低速で変更操作するようにしたから、機体本体の姿勢修正動作に伴って刈取部が昇降するおそれがあるとき、昇降操作手段を作動させて刈取部を極力所望の刈取高さに対応する対地高さに維持させるように相対昇降させる操作を、機体本体の姿勢修正動作よりも早めに行うようにすることが可能となって、倒伏している植立茎稈を無理に引き抜いたり、刈取部が地面に突っ込む等のトラブルが発生する頻度を少なくさせることを適切に行い易いものにできる。
【００１２】
一方、前記モード指令手段にて前記倒伏用制御モードが指令されていない場合、つまり、直立姿勢の植立茎稈を刈り取る場合には、前記倒伏用制御モードが指令されている場合よりも高速で走行装置の接地部に対する機体本体の前後傾斜角を変更操作することになる。このような直立姿勢の植立茎稈を刈り取る場合には、刈取部の対地高さは高めに設定されることが多く、走行装置の接地部に対する機体本体の前後傾斜角を高速で変更操作するようにしても、刈取部を昇降操作手段により相対的に昇降させることで、良好な刈取作業を維持させることを行い易いものとなる。
【００１３】
従って、第１特徴構成によれば、植立茎稈が直立姿勢である場合だけでなく、植立茎稈が倒伏している倒伏状態にて刈取作業を行う場合においても、刈取作業を良好に行うことが可能となる刈取作業機の姿勢制御装置を提供できるに至った。
【００１４】
本発明の第２特徴構成は、第１特徴構成に加えて、前記刈取部の作動速度を車速が大なるほど大になる形態で、且つ、車速が同じであるときの前記刈取部の作動速度を前記倒伏状態に対応する倒伏用駆動状態の方が植立茎稈が直立している標準状態に対応する標準用駆動状態のときよりも高速にする形態で、倒伏用駆動状態と標準用駆動状態とに切り換え自在な刈取変速手段が設けられ、前記モード指令手段が、前記刈取変速手段が前記倒伏用駆動状態に切り換えられているか否かを検出するように構成され、且つ、前記倒伏用駆動状態に切り換えられていることを検出すると前記倒伏用制御モードを指令するように構成されている点にある。
【００１５】
すなわち、前記刈取変速手段は刈取部の作動速度を車速が大なるほど大になる形態で変速するものであり、しかも、倒伏用駆動状態と標準用駆動状態とに切り換え自在であって、車速が同じであるときの前記刈取部の作動速度を前記倒伏状態に対応する倒伏用駆動状態の方が植立茎稈が直立している標準状態に対応する標準用駆動状態のときよりも高速にするように変速するのである。又、この刈取変速手段は、例えば、手動操作具や種々の制御情報等によって前記各駆動状態のいずれかが指令されることになる。
【００１６】
説明を加えると、前記倒伏状態であるときは、刈取作業に伴って植立茎稈の引き抜き等の発生のおそれを少なくするために前記標準状態の場合に比べて車速は低速にする必要があるが、刈取部の作動速度が大となるものであるから、刈取部に備えられる引起し装置が高速で作動することになり、倒伏している植立茎稈を低速走行の割には素早く立姿勢に引き起こすことができ、良好な刈取作業を行うことができる。
【００１７】
このように、前記刈取変速手段が前記倒伏用駆動状態に切り換えられている状態というのは、倒伏状態にて刈取作業を行っている状態に対応することになる。又、前記刈取変速手段の駆動状態を適切に切り換えるためには、前記倒伏用駆動状態に切り換えられているか否かを検出するための検出構成が必要となるが、その検出構成を利用して前記倒伏用制御モードを指令する構成とすることができる。
【００１８】
つまり、前記モード指令手段が、前記刈取変速手段が前記倒伏用駆動状態に切り換えられているか否かを検出し、前記倒伏用駆動状態に切り換えられていることを検出すると前記倒伏用制御モードを指令することになる。このように検出構成を兼用することで、構成の簡素化が可能となる。
【００１９】
従って、第２特徴構成によれば、前記倒伏用制御モードを指令することが可能でありながら、構成の簡素化を図ることが可能となる刈取作業機の姿勢制御装置を提供できるに至った。
【００２０】
本発明の第３特徴構成は、第１特徴構成又は第２特徴構成のいずれかに加えて、前記刈取部における分草具よりも機体後方側箇所に設けられてその位置での対地高さを検出する接地式の対地高さ検出手段と、
前記刈取部の目標対地高さを設定する目標対地高さ設定手段と、
前記対地高さ検出手段及び前記目標対地高さ設定手段の情報に基づいて前記刈取部の対地高さが目標対地高さになるように前記昇降操作手段を制御する刈取昇降制御手段とが設けられている点にある。
【００２１】
すなわち、前記対地高さ検出手段により刈取部の対地高さが検出され、前記刈取昇降制御手段が、前記対地高さ検出手段により検出される刈取部の対地高さが前記目標対地高さ設定手段にて設定される目標対地高さになるように前記昇降操作手段を制御する。この昇降操作手段は機体本体に対する刈取部の高さを変更するものであるから、刈取走行を実行するに伴って機体本体の前後傾斜姿勢が変動することがあっても、刈取昇降制御手段が上述したような制御を実行することで、刈取部の対地高さを目標対地高さに極力維持させることが可能となるのである。
【００２２】
前記接地式の対地高さ検出手段が刈取部における分草具よりも機体後方側箇所に設けられるので、倒伏している植立茎稈が分草具にて植立茎稈が分草されることにより、対地高さ検出手段と地面との間に倒伏している植立茎稈が挟まって対地高さ検出手段が誤検出を起こすおそれが少なく対地高さを極力精度よく検出することができる。
【００２３】
又、このように対地高さ検出手段が分草具よりも機体後方側箇所に設けられる構成であれば、前記ピッチング制御を実行することで姿勢変更操作手段にて機体本体の前後傾斜角の変更操作が行われると、接地式の対地高さ検出手段が接地するよりも前に分草具が接地して地面に突っ込むおそれがあるが、植立茎稈が倒伏している倒伏状態にて刈取作業を行う場合に、上述したようにピッチング制御において前記走行装置の接地部に対する機体本体の前後傾斜角を低速で変更操作するように構成されているので、倒伏状態にて刈取作業を行うときに、分草具が接地して地面に突っ込むおそれを回避しながら、接地式の対地高さ検出手段にて対地高さを良好に検出できるものとなる。
【００２４】
従って、接地式の対地高さ検出手段にて対地高さを良好に検出して、刈取部の対地高さを目標対地高さに極力維持させることが可能な刈取作業機の姿勢制御装置を提供できるに至った。
【００２５】
本発明の第４特徴構成は、第１特徴構成〜第３特徴構成のいずれかに加えて、前記姿勢変更操作手段が、機体本体の水平基準面に対する左右傾斜角を変更操作自在に構成され、
機体本体の水平基準面に対する左右傾斜角を検出する左右傾斜角検出手段が設けられ、
前記姿勢制御手段が、機体本体の水平基準面に対する左右傾斜角を設定左右傾斜角にすべく前記姿勢変更操作手段を制御するローリング制御を実行するように構成され、且つ、
前記ピッチング制御及び前記ローリング制御の夫々において、前記倒伏モード指令手段にて前記倒伏用制御モードが指令されている場合には、前記倒伏用制御モードが指令されていない場合に比べて、前記走行装置の接地部に対する機体本体の前後傾斜角を低速で変更操作するように構成されている点にある。
【００２６】
すなわち、前記姿勢制御手段が、前記ピッチング制御だけでなくローリング制御を実行するときにも、刈取部の傾斜下方側箇所の先端が圃場に突っ込んだりするおそれがあるが、前記倒伏モード指令手段にて前記倒伏用制御モードが指令されている場合には、前記倒伏用制御モードが指令されていない場合に比べて、前記走行装置の接地部に対する機体本体の前後傾斜角を低速で変更操作するように構成されているので、刈取作業を良好に行うことが可能となる。
【００２７】
従って、第４特徴構成によれば、ローリング制御を実行するときにも、植立茎稈が倒伏している倒伏状態にて刈取作業を行う場合に、刈取作業を良好に行うことが可能となる刈取作業機の姿勢制御装置を提供できるに至った。
【発明を実施するための最良の形態】
【００２８】
以下、本発明に係る刈取収穫機の姿勢制御装置について図面に基づいて説明する。
図１に刈取収穫機としてのコンバインの側面図が示されている。このコンバインは、左右一対のクローラ走行装置１Ｌ，１Ｒを備えて走行可能に構成された機体本体Ｖの前部に、圃場に植えられた穀稈を刈り取り、刈り取った穀稈を後方に向けて搬送するように構成された刈取部２が昇降自在に備えられ、機体本体Ｖには、刈取穀稈を脱穀処理する脱穀装置３、脱穀された穀粒を貯留するグレンタンク４、搭乗運転部５等を備えて構成されている。
【００２９】
前記刈取部２は、刈取条数分の刈取対象条の植立穀稈を振り分け分草する複数の分草具６、植立穀稈を立姿勢に引起す引起し装置７、引起された穀稈の株元側を切断するバリカン型刈取装置８、刈取られた穀稈を徐々に横倒れ姿勢に姿勢変更させながら後方に搬送する縦搬送装置９等で構成され、機体本体Ｖの前部に立設された基台２２に横向き支点Ｐ１を中心にして昇降揺動可能に支持されて斜め前方に向けて延びる縦向き伝動ケース２３にて昇降自在に支持されており、縦向き伝動ケース２３の長手方向中間部に枢支連結されている昇降操作手段としての昇降用油圧シリンダＣ１（以下、刈取シリンダという）により駆動昇降自在に構成されている。
【００３０】
図２に示すように、前記縦向き伝動ケース２３の先端部に中央部が連結されて機体横幅方向の長く延びる横向き伝道ケース２４、この横向き伝動ケース２４の機体横方向での複数箇所から機体前方向きに複数本の丸パイプ状の分草フレーム２５を延出させて、それら複数本の分草フレーム２５の基端部にわたって刈取装置８を取り付け、各分草フレーム２５の前端に差込み連結された支持杆２６に先細り形状の分草具６が装着されている。
【００３１】
そして、左右外端から２本目の夫々の分草フレーム２５の前端に差込み連結された支持杆２６の下方、言い換えると、分草具６よりも機体後方側箇所に、夫々、対地高さ検出装置Ａが配備されている。図１に示すように、対地高さ検出装置Ａが配備される分草具６の支持杆２６は側面視で山形に屈曲されており、その山形の支持杆２６の下方に位置させて対地高さ検出装置Ａが支持されている。この対地高さ検出装置Ａは、地面（圃場面）に対する刈取部２の高さを接地式に検知するものであり、横向きの前部支点を中心に上下揺動可能で且つ下方付勢状態に支持された接地体２７の接地追従の伴う上下揺動量を検出することにより刈取部２の高さを検出するように構成されている。
【００３２】
前記刈取部２の前記縦搬送装置９における搬送経路途中には、刈り取られて搬送される刈取穀稈の株元に作用して刈取穀稈が存在するとオンし、刈取穀稈が存在しないとオフする穀稈存否検出手段としての株元センサＳ３が設けられている。
【００３３】
又、このコンバインでは、左右の走行装置１Ｌ，１Ｒの接地部に対する機体本体Ｖの左右傾斜角を変更操作自在な姿勢変更操作手段１００が設けられている。以下、その構成について説明する。
【００３４】
図３に示すように、左側のクローラ走行装置１Ｌは、機体本体Ｖの機体フレーム１１が備えている支持フレーム１２の前端側に前ベルクランク１７ａを介して前端側が連結され、前記支持フレーム１２の後端側に後ベルクランク１７ｂと補助リンク１７ｂ１とを介して後端側が連結している機体本体の前後方向に長いトラックフレーム１６と、前記支持フレーム１２の前端部によって回動自在に支持されている駆動自在なクローラ駆動スプロケット１３と、前記支持フレーム１２の前後方向での中間部に遊転自在に支持されている上部転輪１４ａと、前記トラックフレーム１６の長手方向での複数箇所に遊転自在に支持されている接地転輪１４と、前記トラックフレーム１６の後端部に遊転自在に支持されているクローラ緊張輪１５と、前記複数個の輪体１５，１３，１４ａ，１４の全てにわたって巻回しているゴム製の無端クローラベルトＢとによって構成されている。
【００３５】
前ベルクランク１７ａのうち、支持フレーム１２に回動自在に連結している回転支軸部からトラックフレーム１６の方とは反対側に一体回動自在に延出している揺動自在なアーム部と、支持フレーム１２によって支持されているシリンダブラケットとにわたって油圧式で複動型の前シリンダＣ２を取付け、後リンク１７ｂのうち、支持フレーム１２に回動自在に連結している回転支軸部からトラックフレーム１６の方とは反対側に一体回動自在に延出している揺動自在なアーム部と、支持フレーム１２によって支持されているシリンダブラケットとにわたって油圧式で複動型の後シリンダＣ３が取付けられている。
すなわち、前シリンダＣ２が前ベルクランク１７ａを軸芯Ｐ２まわりで支持フレーム１２に対して回動操作してトラックフレーム１６の前端側を機体フレーム１１に対して昇降操作し、後シリンダＣ３が後ベルクランク１７ｂを軸芯Ｐ３まわりで支持フレーム１２に対して回動操作してトラックフレーム１６の後端側を機体フレーム１２に対して昇降操作自在に構成されている。
【００３６】
右側のクローラ走行装置１Ｒは、左側のクローラ走行装置１Ｌと同一の構成を備えており、左側のクローラ走行装置１Ｌにおいても、右側のクローラ走行装置１Ｒにおいても、前シリンダＣ２，Ｃ４と後シリンダＣ３，Ｃ５とを駆動操作することにより、前シリンダＣ２，Ｃ４と後シリンダＣ３，Ｃ５の駆動力によってトラックフレーム１２が機体フレーム１１に対して昇降する構成となっている。
【００３７】
これにより、図３に示すように、左右の前シリンダＣ２，Ｃ４を最も伸張させ、且つ、左右の後シリンダＣ３，Ｃ５を最も短縮させると、左右走行装置１Ｌ，１Ｒのトラックフレーム１６が機体フレーム１１に最も近づいてほぼ平行状態になる。このときの機体本体Ｖの姿勢が下限基準姿勢である。
【００３８】
図４に示すように、前記下限基準姿勢にある状態から、左右の後シリンダＣ３，Ｃ５をそのままの状態に維持しながら左右の前シリンダＣ２，Ｃ４を短縮作動させると、左右走行装置１Ｌ，１Ｒのトラックフレーム１６の前端側が後端側より機体フレーム１１に対して下降した状態になる。すなわち、機体本体Ｖを前部側がクローラ走行装置１Ｌ，１Ｒの接地部に対して離間する方向に姿勢変更（前上昇操作）することになる。
【００３９】
図５に示すように、前記下限基準姿勢にある状態から、左右の前シリンダＣ２，Ｃ４をそのままの状態に維持しながら左右の後シリンダＣ３，Ｃ５を伸長作動させると、左右走行装置１Ｌ，１Ｒのトラックフレーム１６の後端側が前端側より機体フレーム１１に対して下降した状態になる。機体本体Ｖを後部側がクローラ走行装置１Ｌ，１Ｒの接地部に対して離間する方向に姿勢変更（後上昇操作）することになる。
【００４０】
図６に示すように、前記下限基準姿勢にある状態から、左右の前シリンダＣ２，Ｃ４を短縮作動させ、且つ、左右の後シリンダＣ３，Ｃ５を伸長作動させると、左右走行装置１Ｌ，１Ｒのトラックフレーム１６が機体フレーム１１に対してほぼ平行に下降した状態になる。機体本体Ｖを走行装置１Ｌ，１Ｒの接地部に対して平行姿勢のまま離間する方向に姿勢変更（上昇操作）することになる。
【００４１】
左側のクローラ走行装置１Ｌにおけるトラックフレーム１６と機体フレーム１１との上下間隔が、右側のクローラ走行装置１Ｒにおけるトラックフレーム１６のそれより小になる側に各油圧シリンダＣ２〜Ｃ５を操作させると、機体本体Ｖを走行装置１Ｌ，１Ｒの接地部に対して右上げ方向に姿勢変更（左傾斜操作）することになる。
【００４２】
右側のクローラ走行装置１Ｒにおけるトラックフレーム１６と機体フレーム１１との上下間隔が、左側のクローラ走行装置１Ｌにおけるトラックフレーム１６のそれより小に側に各油圧シリンダＣ２〜Ｃ５を操作させると、機体本体Ｖを走行装置１Ｌ，１Ｒの接地部に対して左上げ方向に姿勢変更（右傾斜操作）することになる。
【００４３】
従って、左側の前シリンダＣ２（以下、単に左前シリンダＣ２と呼称する。）と、左側の後シリンダＣ３（以下、単に左後シリンダＣ３と呼称する。）と、右側の前シリンダＣ４（以下、単に右前シリンダＣ４と呼称する。）と、右側の後シリンダＣ５（以下、単に右後シリンダＣ５と呼称する。）とにより、走行装置１Ｌ，１Ｒの接地部に対する機体本体Ｖの左右傾斜角及び前後傾斜角を変更操作する姿勢変更操作手段１００が構成されている。
【００４４】
左右のクローラ走行装置１Ｌ，１Ｒにおける前記各ベルクランク１７ａ，１７ｂの回転支軸部に対応する箇所に、その回転支軸部の回動量に基づいて前記各油圧シリンダＣ２，Ｃ３，Ｃ４，Ｃ５の操作量（油圧シリンダＣ２〜Ｃ５の伸縮作動したストローク量）を検出する操作量検出手段としてのポテンショメータ形のストロークセンサ１８，１９，２０，２１が設けられている。
【００４５】
機体本体Ｖには、機体本体Ｖの水平基準面に対する左右傾斜角を検出する左右傾斜角検出手段としての重力式の左右傾斜角センサ３０、及び、機体本体Ｖの水平基準面に対する前後傾斜角を検出する前後傾斜角検出手段としての重力式の前後傾斜角センサ３１が備えられている（図７参照）。
【００４６】
図８に動力伝達系を示しており、機体本体Ｖの原動部に搭載されたエンジンＥから出力された動力は、脱穀クラッチ３２を介して脱穀装置３に伝達されるとともに、走行クラッチ３３及び走行用変速装置３４を介して左右のクローラ走行装置１Ｌ，１Ｒのミッション部３５に伝達される。一方、エンジンＥからの動力が刈取用変速装置３６を介して刈取部２に伝達される構成となっている。
【００４７】
走行用変速装置３４は、静油圧式無段変速装置（ＨＳＴ）にて構成され、搭乗運転部５に設けた変速レバー３７によって走行速度を無段階に変速操作可能に構成されている。又、前記刈取用変速装置３６も同様に、静油圧式無段変速装置（ＨＳＴ）にて構成され、刈取部２の作動速度を無段階に変速操作可能に構成されるが、この刈取用変速装置３６は変速用電動モータ３８（以下、変速用モータという）により変速操作される構成となっており、後述するように、変速レバー３７の操作位置に対応する速度になるように制御される構成となっている。そして、その変速用モータ３８の制御のための情報を得るために、変速レバー３７の操作位置を検出するポテンショメータ式の変速レバーセンサＳ１と、刈取用変速装置３６の変速後の出力回転速度をフィードバック情報として検出する変速出力センサＳ２とが設けられている。
【００４８】
そして、図７に示すように、後述するローリング制御の入切を指令する左右自動スイッチ４０、後述するピッチング制御の入切を指令する前後自動スイッチ４１、刈取昇降制御を実行する自動入り状態と制御を実行しない自動切り状態とに切り換え自在な刈取自動昇降入切スイッチ５０、刈取作業モードを標準モードと倒伏モードとに切り換える刈取作業モード切換スイッチ４２、刈取部２の目標対地高さを設定する目標対地高さ設定手段としてのポテンショメータ式の目標対地高さ設定器４４、搭乗運転部５備えられた刈取昇降レバー２８を中立位置から上昇位置に操作するとオンする上昇スイッチＳＷ１、刈取昇降レバー２８を中立位置から下降位置に操作するとオンする下降スイッチＳＷ２、手動操作にて機体本体の姿勢を変更するための姿勢変更スイッチユニットＳＵ等が備えられている。前記姿勢変更スイッチユニットＳＵは、詳述はしないが、左傾斜操作、右傾斜操作、前傾斜操作、後傾斜操作、機体上昇操作、機体下降操作等を指令する複数のスイッチが備えられている。
【００４９】
又、マイクロコンピュータ利用の制御装置Ｈが設けられ、この制御装置Ｈに、前記各ストロークセンサ１８〜２１、一対の対地高さ検出装置Ａ、左右傾斜角センサ３０、前後傾斜角センサ３１、変速レバーセンサＳ１、変速出力センサＳ２の各検出情報が入力されている。又、上記した各スイッチ類の各操作情報も制御装置Ｈに入力されている。一方、制御装置Ｈからは、前記リフトシリンダＣ１、前記４個の機体姿勢変更用の油圧シリンダＣ２〜Ｃ５を制御するための５個の電磁制御弁４５〜４９、及び、変速用モータ３８に対する駆動信号が夫々出力されている。
【００５０】
又、刈取部２の走行機体Ｖに対する枢支部に刈取部２の機体に対する高さを検出する対機体高さ検出手段としてのポテンショメータ形式の対機体高さセンサＳ４が設けられ、この対機体高さセンサＳ４の検出情報も制御装置Ｈに入力される構成となっている。
【００５１】
そして、制御装置Ｈを利用して、前後傾斜角センサ３１の検出情報に基づいて、機体本体Ｖの水平基準面に対する前後傾斜角が設定傾斜角に維持されるように姿勢変更操作手段１００の作動を制御するピッチング制御を実行する姿勢制御手段２００が構成されている。この姿勢制御手段２００は、左右傾斜角センサ３０の検出情報に基づいて、車体Ｖの水平基準面に対する左右傾斜角が設定傾斜角に維持されるように姿勢変更操作手段１００の作動を制御するローリング制御も実行するように構成されている。
【００５２】
又、制御装置Ｈを利用して、刈取作業中において刈高さ検出装置Ａにて検出される対地高さが目標対地高さ設定器４４にて設定された目標対地高さに維持されるように刈取シリンダＣ１を作動させる刈取昇降制御を実行する刈取昇降制御手段３００が構成され、詳述はしないが、この刈取昇降制御手段３００は、図示しないモード切換スイッチの切り換え指令に基づいて、刈取昇降制御を実行するときの制御モードとして、上昇並びに下降を自動で実行する自動昇降モードと、地面への突っ込みを回避するために刈取部２の上昇操作は自動で行うが下降操作は手動指令にて行う自動上昇モードとに切り換え自在に設けられている。
【００５３】
又、刈取昇降制御手段３００は、手動昇降指令手段としての上昇スイッチＳＷ１及び下降スイッチＳＷ２の指令に基づいて昇降シリンダＣ１の作動を制御する手動刈取昇降操作処理を実行するよう構成されている。
【００５４】
前記制御装置Ｈは、変速レバーセンサＳ１にて検出される車速が大なるほど大になる形態で刈取部２の作動速度を高速にするように刈取用変速装置３６の動作状態を制御するようになっており、又、刈取作業モード切換スイッチ４２の切り換え指令に基づいて、車速が同じであるときの刈取部２の作動速度を倒伏状態に対応する倒伏用駆動状態の方が植立茎稈が直立している標準状態に対応する標準用駆動状態のときよりも高速にする形態で、倒伏用駆動状態と標準用駆動状態とに切り換えて刈取用変速装置３６の動作状態を制御するように構成されている。従って、制御装置Ｈを利用して刈取用変速装置３６の動作状態を制御する刈取変速制御手段４００が構成されている。
【００５５】
説明を加えると、走行用変速装置３４と変速レバー３７とが機械的に連係されており、図９には、変速レバー３７の操作位置の変化に対する車速（走行速度）の変化特性を示している。この図から判るように、変速レバー３７が中立位置Ｎから前進方向及び後進方向に走行用不感帯Ｋ１を超えて操作すると、中立位置Ｎからの操作量が大なるほど車速（走行速度）が大となるように走行用変速装置３４が変速操作されるように、走行用変速装置３４と変速レバー３７とが機械的に連係されている。
【００５６】
図１０には、制御装置Ｈが、変速レバーセンサＳ１にて検出される車速が大なるほど大になる形態で刈取部２の作動速度を高速にするように刈取用変速装置３６の動作状態を制御するときの変速レバー３７の操作位置の変化に対する刈取用変速装置３６における目標とする作動速度の変化特性を示しており、この変化特性は図示しない記憶手段に記憶されている。説明を加えると、変速レバー３７が走行用不感帯Ｋ１よりも狭く設定されている作業用不感帯Ｋ２を越えて作業出力開始位置になると作動状態となるように出力を開始し、その作業出力開始位置から高速側に主変速レバー２４が操作されるほど高速状態になるように、刈取用変速装置３６における目標とする作動速度が予め設定されて記憶されるのであるが、前記標準用駆動状態に対応する特性Ｍ２と前記倒伏用駆動状態に対応する特性Ｍ１とが各別に設定されており、車速（走行速度）が同じであるときの刈取部２の作動速度を倒伏状態に対応する倒伏用駆動状態の方が植立茎稈が直立している標準状態に対応する標準用駆動状態のときよりも高速にする形態となっている。
【００５７】
そして、刈取変速制御手段４００は、変速レバーセンサＳ１にて検出される変速レバー３７の操作位置に応じて、変速出力センサＳ２にて検出される出力回転速度が目標となる作動速度になるように変速用モータ３８を制御する構成となっている。又、変速レバー３７の操作位置に応じて目標とする作動速度を求めるにあたり、刈取作業モード切換スイッチ４２が標準モードであれば前記標準用駆動状態に対応する特性Ｍ２を用い、刈取作業モード切換スイッチ４２が倒伏モードであれば前記倒伏用駆動状態に対応する特性Ｍ１を用いて、変速用モータを制御するように構成されている。ちなみに、走行速度が極低速の状態（例えば０．２ｍ／ｓ以下）では、刈取部２の作動速度を一定速度に維持するようになっている。
【００５８】
このように、倒伏状態に対応する倒伏用駆動状態の方が植立茎稈が直立している標準状態に対応する標準用駆動状態のときよりも刈取部２の作動速度が高速になるから、引起し装置７が高速で作動することにより、倒伏状態であっても遅れの少ない状態で迅速に立姿勢になるように引き起こすことができ、良好な刈取作業を行うことができる。
【００５９】
従って、刈取用変速装置３６、変速用モータ３８、刈取作業モード切換スイッチ４２、刈取変速制御手段４００により前記刈取変速手段Ｆが構成され、刈取作業モード切換スイッチ４２により植立茎稈が倒伏している倒伏状態に対応する倒伏用制御モード（倒伏モード）を指令するモード指令手段Ｇが構成されている。
【００６０】
そして、制御装置Ｈにて構成される姿勢制御手段２００は、前記モード指令手段Ｇとしての刈取作業モード切換スイッチ４２にて倒伏モードが指令されている場合には、標準モードが指令されている場合すなわち倒伏モードが指令されていない場合に比べて、前記ピッチング制御における制御感度を鈍感にするように構成されている。
具体的には、株元センサＳ３がオンしている刈取作業状態であれば、倒伏モードが指令されている場合には、標準モードが指令されている場合に比べて、走行装置１Ｌ、１Ｒの接地部に対する機体本体Ｖの前後傾斜角を低速で変更操作することにより、ピッチング制御における制御感度を鈍感にするように構成されている。又、株元センサＳ３がオフしている非刈取作業状態であれば、標準モードが指令されている場合と同じ速度で、走行装置１Ｌ、１Ｒの接地部に対する機体本体Ｖの前後傾斜角を変更操作するようになっている。
【００６１】
又、ピッチング制御だけでなくローリング制御を実行するときにも、株元センサＳ３がオンしている刈取作業状態であれば、倒伏モードが指令されている場合には、標準モードが指令されている場合に比べて、走行装置１Ｌ、１Ｒの接地部に対する機体本体Ｖの前後傾斜角を低速で変更操作することにより制御感度を鈍感にするように構成されている。
【００６２】
次に、制御装置Ｈの制御動作について図１１に示すフローチャートに基づいて説明する。
株元センサがオフしている状態（非刈取作業状態）であれば、前記４個の機体姿勢変更用の油圧シリンダＣ２〜Ｃ５による姿勢修正用の作動速度を予め設定されている標準速度に設定する（ステップ１，３）。そして、株元センサＳ３がオンしている状態（刈取作業状態）であれば、刈取作業モード切換スイッチ４２にて倒伏モードではなく標準モードが指令されていると各油圧シリンダＣ２〜Ｃ５による姿勢修正用の作動速度を予め設定されている標準速度に設定し（ステップ２，３）、刈取作業モード切換スイッチ４２にて倒伏モードが指令されていると、各油圧シリンダＣ２〜Ｃ５による姿勢修正用の作動速度を標準速度よりも低速である倒伏用速度に設定する（ステップ２，４）。具体的には、作動速度に対応するように油圧シリンダに供給する単位時間当たりの作動油流量を設定することになる。
【００６３】
説明を加えると、４個の機体姿勢変更用の油圧シリンダＣ２〜Ｃ５を制御するための４個の電磁制御弁４６〜４９の夫々が、電磁ソレノイドを連続オン状態と連続オフ状態とに切り換えることで作動油を最大流量で通流する開状態と作動油の通流を停止する閉状態とに切り換え自在であり、且つ、電磁ソレノイドをオン状態とオフ状態とを短時間毎に繰り返すようにデューティ制御を行うことが可能であり、しかも、オン状態にする時間とオフ状態とする時間との比率（デューティ比）を変更調整することで、油圧シリンダに対する単位時間当たりの作動油流量を変更調整することができるように構成され、さらに、前記標準速度に対応するデューティ比と、前記倒伏用速度に対応するデューティ比とが予め設定されて記憶されている。
【００６４】
そして、前記姿勢修正用の作動速度を標準速度に設定するときは、電磁制御弁４６〜４９を操作するためのデューティ比として前記標準速度に対応するデューティ比を設定し、前記姿勢修正用の作動速度を前記倒伏用速度に設定するときは、電磁制御弁４６〜４９を操作するためのデューティ比として前記倒伏用速度に対応するデューティ比を設定するのである。
【００６５】
ちなみに、前記標準速度としては、搭乗運転部５に搭乗する運転者の乗り心地が悪化しない程度に極力迅速に姿勢修正を行なえる程度の速度が設定され、前記倒伏用速度としては、例えば、姿勢修正動作を行っている場合であっても、刈取昇降制御による自動昇降操作や運転者が手動で刈高さを変更調節することにより分草具が地面へ突っ込むことを回避できる程度に低速となる速度が設定される。
【００６６】
そして、手動姿勢変更指令（左右傾斜、前後傾斜、上下昇降）が指令された否かを判断し、手動姿勢変更指令が指令された場合には手動姿勢変更操作処理を実行する（ステップ５，６）。この手動姿勢変更操作処理は、前記姿勢変更スイッチユニットＳＵによる指令操作、つまり、左傾斜操作、右傾斜操作、前傾斜操作、後傾斜操作、機体上昇操作、機体下降操作のうちのいずれか指令されると、その指令された動作を指令操作が行われている間だけ実行する。
【００６７】
上記手動姿勢変更指令が指令されていない場合は、左右自動スイッチ４０と前後自動スイッチ４１の状態を調べ、左右自動スイッチ４０だけがオンしている場合は、ローリング制御だけを実行する。両スイッチ４０，４１がオンしている場合は、ローリング制御とピッチング制御とを実行する。このとき、ローリング制御を優先して先に実行する（ステップ７，８，９，１０）。
【００６８】
前記ピッチング制御では、前後傾斜角センサ３１にて機体本体Ｖの前後傾斜角が設定傾斜角に対応して設けられる制御不感帯を超えて大きく前傾斜側に変化していると、機体本体Ｖの前後傾斜角が制御不感帯に入るように、機体本体Ｖを前部側がクローラ走行装置１Ｌ，１Ｒの接地部に対して離間する方向に姿勢変更（前上昇操作）させるように対応する油圧シリンダを操作し、制御不感帯を超えて大きく後傾斜側に変化していると、機体本体Ｖの前後傾斜角が制御不感帯に入るように、機体本体Ｖを後部側がクローラ走行装置１Ｌ，１Ｒの接地部に対して離間する方向に姿勢変更（後上昇操作）させるように対応する油圧シリンダを操作することになる。
【００６９】
そして、この姿勢変更操作においては、上述したように電磁制御弁４６〜４９を操作するときのデューティ比を変更設定することで、率各油圧シリンダＣ２〜Ｃ５のうちの操作対象となる油圧シリンダに対する単位時間当たりの作動油流量を調整して、姿勢修正用の作動速度を標準速度よりも低速である倒伏用速度にて姿勢変更させることになる。
【００７０】
又、前記ローリング制御では、左右傾斜角センサ３０にて機体本体Ｖの左右傾斜角が設定傾斜角に対応して設けられる制御不感帯を超えて大きく右傾斜側に変化していると、機体本体Ｖの左右傾斜角が制御不感帯に入るように、機体本体Ｖを走行装置１Ｌ，１Ｒの接地部に対して右上げ方向に姿勢変更（左傾斜操作）させるように対応する油圧シリンダを操作し、制御不感帯を超えて大きく後傾斜側に変化していると、機体本体Ｖの前後傾斜角が制御不感帯に入るように、機体本体Ｖを走行装置１Ｌ，１Ｒの接地部に対して左上げ方向に姿勢変更（右傾斜操作）させるように対応する油圧シリンダを操作することになる。      
【００７１】
このローリング制御においても、ピッチング制御と同様に、各油圧シリンダＣ２〜Ｃ５のうちの操作対象となる油圧シリンダに対する単位時間当たりの作動油流量を調整して、姿勢修正用の作動速度を標準速度よりも低速である倒伏用速度にて姿勢変更させることになる。
【００７２】
次に、前記刈取昇降レバー２８の操作により上昇スイッチＳＷ１又は下降スイッチＳＷ２がオンして手動刈取昇降指令が指令されると、その指令に対応するように昇降シリンダＣ１の作動を制御する手動刈取昇降操作処理を実行する（ステップ１１，１２）。手動刈取昇降指令が指令されていない状態で刈取昇降制御の入り条件が満たされると、前記刈取昇降制御を実行する（ステップ１３，１４）。前記刈取昇降制御の入り条件というのは、刈取自動昇降入切スイッチ５０が自動入り状態に切り換えられており、且つ、対機体高さセンサＳ４の検出情報に基づいて刈取部２の対機体高さが昇降操作可能範囲の中間部に設定された設定レベルを下回っていることである。
【００７３】
前記刈取昇降制御について簡単に説明すると、目標対地高さがレベル３以下に設定されているときは、２つの対地高さ検出装置Ａの検出値が、夫々、目標対地高さ設定器４４にて設定された目標対地高さよりも低い場合に刈取部２を上昇させる処理を実行する。一方、目標対地高さがレベル３よりも高い側に設定されているときは、２つの対地高さ検出装置Ａのうちのいずれかのものの検出値が目標対地高さ設定器４４にて設定された目標対地高さよりも低い場合に刈取部２を上昇させる。又、設定距離走行する毎に下降するか否かの判別を行い、２つの対地高さ検出装置Ａの検出値が夫々目標対地高さ設定器４４にて設定された目標対地高さよりも高ければ、刈取部２を下降させる処理を実行する。
【００７４】
〔別実施形態〕
次に別実施形態を列記する。
【００７５】
上記実施形態では、前記モード指令手段として、前記刈取変速手段における前記刈取モード切換スイッチの操作状態により植立茎稈が倒伏している倒伏状態に対応する倒伏用制御モードが指令されたか否かを検出するようにしたが、このような構成に限らず、刈取変速制御手段４００の制御内容に基づいて倒伏状態に対応する倒伏用制御モードが指令されたか否かを判別するようにしてもよい。又、刈取変速手段の切り換え状態に基づいて検出するものに代えて、前記姿勢制御手段の制御モードを指令するための専用のモード指令手段を備える構成としてもよい。
【００７６】
上記実施形態では、オンオフ切り換え型の電磁制御弁を操作するときのオン時間とオフ時間とのデューティ比を変更させて機体本体の前後傾斜角を変更操作するときの操作速度を変更するようにしたが、電磁比例流量制御弁を用いて流量を変更調整するものでもよい。
【００７７】
上記実施形態では、姿勢変更操作手段を、機体本体Ｖの前後左右の４箇所に位置した４個の駆動手段Ｃ２〜Ｃ５にて構成したが、左右の走行装置を一体的に前後方向に傾斜させる１個の駆動手段（ピッチング用油圧シリンダ）にて構成してもよい。又、上記４個の駆動手段Ｃ２〜Ｃ５を構成する場合も、油圧シリンダ以外に、電動モータとネジ送り機構等からなる他の駆動手段にて構成してもよい。
【００７８】
上記実施形態では、前記姿勢制御手段が、前記ピッチング制御及び前記ローリング制御の夫々において、前記倒伏モード指令手段にて前記倒伏用制御モードが指令されている場合には、前記倒伏用制御モードが指令されていない場合に比べて、前記走行装置の接地部に対する機体本体の前後傾斜角を低速で変更操作するように構成したが、ローリング制御においては、常に同じ速度さ変更操作するようにしてもよい。
【００７９】
上記実施形態では、前記対地高さ検出手段として左右一対の対地高さ検出装置が設けられる構成としたが、この構成に限らず、３個以上の対地高さ検出装置を設ける構成や１つの対地高さ検出装置を設ける構成としてもよい。
【図面の簡単な説明】
【００８０】
【図１】コンバインの側面図
【図２】分草具支持部の平面図
【図３】走行装置の昇降操作構成を示す側面図
【図４】走行装置の昇降操作構成を示す側面図
【図５】走行装置の昇降操作構成を示す側面図
【図６】走行装置の昇降操作構成を示す側面図
【図７】制御構成を示すブロック図
【図８】コンバインの動力伝達図
【図９】走行速度の変化状態を示す図
【図１０】刈取部の作動速度の変化状態を示す図
【図１１】制御動作のフローチャート
【符号の説明】
【００８１】
１Ｌ，１Ｒ            走行装置
２                    刈取部
６                    分草具
３０                  左右傾斜角検出手段
３１                  前後傾斜角検出手段
４４                  目標対地高さ設定手段
１００                姿勢変更操作手段
２００                姿勢制御手段
３００                刈取昇降制御手段
Ａ                    対地高さ検出手段
Ｃ１                  昇降操作手段
Ｆ                    刈取変速手段
Ｇ                    モード指令手段
Ｖ                    機体本体
【図１】
2010081804.tif 000003
【図２】
2010081804.tif 000004
【図３】
2010081804.tif 000005
【図４】
2010081804.tif 000006
【図５】
2010081804.tif 000007
【図６】
2010081804.tif 000008
【図７】
2010081804.tif 000009
【図８】
2010081804.tif 000010
【図９】
2010081804.tif 000011
【図１０】
2010081804.tif 000012
【図１１】
2010081804.tif 000013